(57)【特許請求の範囲】
【請求項１】
左右一対の前部支柱と、これら前部支柱にそれぞれ対向する左右一対の後部支柱と、左側前部及び後部支柱間に架設した固定ブレスと、同じく右側前部及び後部支柱間に架設した固定ブレスと、左右一対の前部支柱間と左右一対の後部支柱間にそれぞれ架設されて中央の交差部で枢支されたＸ字状にクロスする前後一対のブレスと、各前部支柱と後部支柱に四隅を枢支させた床板と、左右の前部支柱間と左右の後部支柱間にそれぞれ両端が枢支された横杆とを備え、上記ブレスと、床板と、横杆とを上下二段に対向してそれぞれ二組設け、更に上記上段のブレスのうち一方のブレスの一端を支柱に対して枢支させると共に当該一方のブレスの他端と他方のブレスの両端を支柱に対して着脱自在に枢支させ、同じく下段のブレスのうち一方のブレスの一端を支柱に対して枢支させると共に当該一方のブレスの他端と他方のブレスの両端を着脱自在に支柱に対して枢支させ、折畳み時に右側の前部支柱と後部支柱を横に倒した状態で地上寝かせ、着脱自在に枢支した上記各ブレスの端部を支柱から外し、各床板を回転させることを特徴とする支保工。
【請求項２】
上記前部支柱および上記後部支柱に折り畳時の上記ブレスを収納するブレス収納凹部材を設けたことを特徴とする請求項１の支保工。
【発明の詳細な説明】
【０００１】
【発明の属する技術分野】
本発明は、橋梁工事，各種建築，土木工事において、例えば、橋桁，大トラス等の重量物を架設する場合に、これらの橋桁，大トラス等のブロックを支える支保工に関する。
【０００２】
【従来の技術】
一般に、橋梁工事において橋桁を橋脚上に架設する場合、予め工場で任意の大きさに製作された橋桁ブロックを架設現場まで輸送し、次いで、このブロックをクレーンで吊り下げながら支保工上に受けさせ、この支保工上で仮受けされたブロックをさらに他のブロックと接合した後に、橋脚上に設置される。一方、橋桁が橋脚上に設置された後は、支保工は解体または撤去される。
【０００３】
しかして、支保工を工事現場で組立，解体するための作業能率が悪く、作業経費などの点で経済性に劣る。このため、例えば、実開平７―８４１６号公報には折り畳み自在な支保工が提案され、輸送中はコンパクトに折り畳み、現場で使用する時には立方体状に展開して、いちいち組立，解体することなく、現場ごとに転用できるようになった。
【０００４】
上記公報に開示された支保工は、図８に示すように、相対する一対の固定フレーム８１，８１と、各固定フレームの左右両端部に枢支された折り畳み可能な一対の補強フレーム８２，８２と、固定フレーム８１，８１の内側中間に回転自在に基端を枢着した床板と、で構成されたものである。
【０００５】
この場合、補強フレーム８２は、固定フレーム８１を構成する支柱８３の上端間に枢着された折り畳み自在な手摺支柱８４と、支柱８３，８３の中間に枢着された折り畳み自在な水平材８５と、支柱８３，８３の上端と水平材８５の中間に枢着されたブレス８６，８６と、手摺支柱８４と水平材８５の各中間に架設された垂直材８７と、で構成され、使用中は、図示するように、立方体状に展開されるが、不使用時、例えば、輸送中は、ブレス８６，８６の下端を水平材８５からはずし、前後方向から自重により圧縮すると補強フレーム８２が折り畳まれ、全体がコンパクトになるものである。
【０００６】
【発明が解決しようとする課題】
しかしながら、上記従来の支保工は、補強フレーム８２が折り畳み構造であること、ブレス８６が上方に２本あるのみで水平材８５より下方には補強材が存在しないことに鑑み、矢印Ａ，Ｂで示す縦方向，左右方向からの荷重に対しては固定フレーム８１の存在によって耐久性があり、かつ、強度があって変形される心配はないが、振動等によって矢印Ｃで示す前後方向からの荷重に対しては弱く、場合によって圧縮方向に変形するおそれがある。
【０００７】
そこで、本発明の目的は、縦方向，左右方向のみならず前後方向からの荷重に対しても耐久性があり、かつ余分な作業をすることなく極めて簡単に折り畳みできる支保工を提供することである。
【０００８】
【課題を解決する為の手段】
上記の目的を達成するため、本発明の手段は、 左右一対の前部支柱と、これら前部支柱にそれぞれ対向する左右一対の後部支柱と、左側前部及び後部支柱間に架設した固定ブレスと、同じく右側前部及び後部支柱間に架設した固定ブレスと、左右一対の前部支柱間と左右一対の後部支柱間にそれぞれ架設されて中央の交差部で枢支されたＸ字状にクロスする前後一対のブレスと、各前部支柱と後部支柱に四隅を枢支させた床板と、左右の前部支柱間と左右の後部支柱間にそれぞれ両端が枢支された横杆とを備え、上記ブレスと、床板と、横杆とを上下二段に対向してそれぞれ二組設け、更に上記上段のブレスのうち一方のブレスの一端を支柱に対して枢支させると共に当該一方のブレスの他端と他方のブレスの両端を支柱に対して着脱自在に枢支させ、同じく下段のブレスのうち一方のブレスの一端を支柱に対して枢支させると共に当該一方のブレスの他端と他方のブレスの両端を着脱自在に支柱に対して枢支させ、折畳み時に右側の前部支柱と後部支柱を横に倒した状態で地上寝かせ、着脱自在に枢支した上記各ブレスの端部を支柱から外し、各床板を回転させることを特徴とするものである。
【０００９】
請求項２の発明にかかる支保工は、前部支柱および上記後部支柱に折り畳み時の上記ブレスを収納するブレス収納凹部材を設けたものである。
【００１０】
【発明の実施の形態】
以下本発明の実施の一形態を図にもとづいて説明する。
本発明の支保工は左右一対の前部支柱１，２と、これら前部支柱１，２にそれぞれ対向する左右一対の後部支柱３，４と、左側前部及び後部支柱１，３間に架設した固定ブレス６４，６５と、同じく右側前部及び後部支柱２，４間に架設した固定ブレス６４，６５と、左右一対の前部支柱１，２間と左右一対の後部支柱３，４間にそれぞれ架設されて中央の交差部で枢支されたＸ字状にクロスする前後一対のブレスと、各前部支柱１，２と後部支柱３，４に四隅を枢支させた床板と、左右の前部支柱１，２間と左右の後部支柱３，４間にそれぞれ両端が枢支された横杆とを備えている。
そして、上記ブレス２３，２４および２６，２７と、床板４９，５０と、横杆２９，３０とを上下二段に対向してそれぞれ二組設け、更に上記上段の前後一対のブレス２３，２４のうち一方のブレス２４の一端を支柱２、４に対して枢支させると共に当該一方のブレス２４の他端と他方のブレス２３の両端を支柱１，２及び３，４に対して着脱自在にそれぞれ枢支させ、同じく下段のブレス２６，２７のうち一方のブレス２７の一端を支柱１、３に対して枢支させると共に当該一方のブレス２７の他端と他方のブレス２６の両端を着脱自在に支柱１，２及び３，４に対してそれぞれ枢支させている。
折畳み時には右側の前部支柱２と後部支柱４を横に倒した状態で地上寝かせ、着脱自在に枢支した上記各ブレスの端部を支柱から外し、各床板４９，５０を回転させるものである。
以下更に詳しく説明する。
【００１１】
また、５，６および７，８は、前部支柱１，２の上端部および下端部の対向面に突設されたブラケットで、ブラケット５，６にはピン９，１０が着脱自在に取り付けられており、ブラケット７，８には２本ずつのピン１１，１２および１３，１４が着脱自在に取り付けられている。
【００１２】
なお、左右の後部支柱３，４の上端部および下端部の対向面にも、同様のブラケット７，８が取り付けられている。
【００１３】
さらに、１５，１６は、左右の前部支柱１，２の中央部の対向面に設けられた中央ブラケットであり、これらの各中央ブラケット１５，１６には、図２および図３に示すように、３本ずつのピン１７，１８，１９およびピン２０，２１，２２が着脱自在に取り付けられている。なお、左右の後部支軸３，４の中央部にも同様の中央ブラケット１５，１６およびピン１７乃至２２が着脱自在に取り付けられている。図６にはこのうちピン２０による後述のブレスの支持構造部付近を拡大して示してある。
【００１４】
また、２３は、上記ピン９および２０に両端が着脱自在に枢支されたブレス、２４は、上記ピン１０に枢着されかつピン１７に着脱自在に枢支されたブレス、これらの各ブレス２３，２４は、交差配置されて、その交差部でピン２５により枢支されている。
【００１５】
さらに、２６は、上記ピン１９に着脱自在に枢着されかつピン１３に枢支されたブレス、２７は、上記ピン２２および１１に両端が着脱自在に枢支されたブレスで、これらの各ブレス２６，２７は、交差配置されて、その交差部でピン２８により枢支されている。
【００１６】
また、２９は、上記ピン１２および１４に両端が枢支された横杆、３０は、上記ピン１８および２１に両端が枢支された横杆である。この枢支部付近の構成を図６に示す。
【００１７】
なお、前部支柱１，２側に設けられたものと同様のブレス２３，２４，２６，２７および横杆２９，３０が、後部支柱３，４側にも設けられている。
【００１８】
３１，３２および３３，３４は、横杆３０，２９上方の前部支柱１，２間に設けられたブラケットで、これらの各ブラケットにはピン３５，３６および３７，３８が取り付けられ、これらのピン３５，３６には水平配置された補強杆３９の両端が枢支され、ピン３７，３８には補強杆４０の両端が枢支されている。
【００１９】
なお、後部支柱３，４にも同様のブラケット３１乃至３４が同様の構成にて設けられている。
【００２０】
さらに、４１，４２および４３，４４は、前部支柱１，２の上下部の各２箇所ずつに対向配置されたブラケットで、これらのブラケット４１，４２および４３，４４にピン４５，４６，４７，４８が取り付けられている。なお、後部支柱３，４にも同様のブラケット４１乃至４４およびピン４５乃至４８が設けられている。
【００２１】
そして、上記前部支柱１，２および後部支柱３，４の各対のピン４５，４６およびピン４７，４８には、床板４９，５０の各端部が枢支されている。
【００２２】
また、５１，５２は、前部支柱１，２中央部の対向側に突設されたブレス収納凹部材であり、これと同様のものが後部支柱３，４上にも対向設置されている。
【００２３】
５３，５４，５５および５６，５７，５８は、前部支柱１，２に溶接などによって取り付けられた吊り金具であり、これと同様の吊り金具が後部支柱３，４にも取り付けられている。折り畳んだ時には、吊り金具５４，５５がそれぞれ他方の吊り金具５６，５７に当接するようになっている。
【００２４】
上記各床板４９，５０にはそれぞれ連通孔６０，６１が貫通形成されており、この連通孔６０，６１をそれぞれ貫通するように梯子６２，６３が配置されている。これらの梯子６２，６３は、前部支柱１，２および後部支柱３，４間の後述の固定ブレスに固定される。
【００２５】
６４，６５は、左側の前部支柱１および後部支柱３間の上下部に交差配置された固定ブレスで、これらの両端はそれぞれ各支柱１，３にブラケット６６，６７，６８を介して固着されている。なお、６９，７０は、上記各固定ブレス６４，６５の交差部を連結固定する補強板である。
【００２６】
また、前部支柱１，２および後部支柱３，４間にも固定横杆７１，７２，７３，７４が固着されている。なお、右側の前部支柱２および後部支柱４間にも全く同様に固定ブレス６４，６５が架設されている。
【００２７】
なお、上記ブレス２３，２４，２６，２７の両端を枢支する各ピン９，１０，１１，１３，１７，１９，２０，２２は、図６中にピン２０に代表して示すように、各ブラケットに挿通した支軸Ｓを中心に回動させることで、抜け止めキーＲを突出させられるものが用いられる。
【００２８】
また、図１に示すような支保工は、これを単独で使用できるが、これらの複数個を前部支柱１，２および後部支柱３，４の上端または下端に連結補助具Ｈを図７に示すように介在して積み上げることで、任意の高さ、例えば、橋桁の高さなどに対応できるものである。
【００２９】
かかる構成になる支保工は、前部支柱１，２および後部支柱３，４がそれぞれ全長に亘って互いに交差するブレス２３，２４，２６，２７および固定ブレス６４，６５によって前後および左右方向，上下方向に支持され、全体として大きな剛体をなす。
【００３０】
そこで、このような支保工を折り畳んで搬送する場合には、クレーンの２本のワイヤＷ１，Ｗ２端を前部支柱２および後部支柱４に設けた各一の吊り金具５６，５８にそれぞれ図２に示すように係留して、クレーンを操作して全体を持ち上げる。
【００３１】
また、折り畳む場合には、斜めおよび横に倒した状態にして、再び地上に降ろして、図２に示すような状態に寝かせる。この場合には、ワイヤＷ１，Ｗ２を吊り金具５３，５５に引っ掛けて吊る。
【００３２】
次に、上記ワイヤＷ１，Ｗ２によって吊り下げた状態のまま前部支柱１および後部支柱３側の、上記各ブレス２３，２４，２６，２７を各ブラケット５，６，１５，１６，７，８上で支持しているピン９，１７，１９，１１およびピン２０，２２を抜き取る。この際、ピン１０，１３は、差し込んでおいた状態にしておく。更に、ブレス２３，２４，２６，２７を、図３に示すように、ピン１０，１３を支点にしかつピン２５，２８を中心に回動させながら折り畳む。
【００３３】
この折り畳みは、まず、ブレス２６，２７をブレス収納凹部材５２内に、図４に示すように収容し、続いて、図５に示すように、ブレス２３，２４がそのブレス収納凹部材５２内のブレス２６，２７上に載置するようにしてなされる。
【００３４】
続いて、上記クレーンのワイヤＷ１，Ｗ２を徐々に緩めていくと、図２および図３において上方にある前部支柱１自身および後部支柱３自身の重みにより、ピン支持された各横杆２９，３０，３９，４０および床板４９，５０が図２の１点鎖線で示す方向に倒れていく。そして、遂にはこれらを介して前部支柱１上および後部支柱３上にそれぞれ前部支柱２および後部支柱４が図２の２点鎖線で示すように重なるように折り畳まれる。
【００３５】
こうして、この支保工が完全に折り畳まれると、全体の形状，寸法は小形化，小容積化されることとなり、出荷運搬や収納が容易となり、トラックにおける占有空間を十分に小さく抑えることができる。
【００３６】
一方、これを作業現場で組み立てる場合には、再び図２に示すように、クレーンのワイヤＷ１，Ｗ２を吊り金具５６，５８に係留して持ち上げて、図２に示す状態に立ち上げ、上記横杆２９，３０，３９，４０および床板４９，５０を図２に示すように立ち上げる。
【００３７】
そして、この状態で上記各ブレス２３，２４，２６，２７端を各ピン９，１７，１９，１１によって各ブラケット５，１５，７に枢着した後、クレーンによりワイヤＷ１，Ｗ２をさらに引き上げて、図１に示すように、起立させることで、支保工の組み立てが簡単に行われる。
【００３８】
また、かかる構成の支保工では、上記のような起立状態において、各ブレス２３，２４，２６，２７および固定ブレス６４，６５が互いに交差して、各前部支柱１，２および後部支柱３，４をそれぞれ支えるため、ローコストで簡単な構成であるにも拘らず、この支保工の全長に亘って、上下および前後左右のいずれの方向からの荷重負荷に対しても、十分の強度を確保できる。
【００３９】
【発明の効果】
以上のように、請求項１の発明によれば、左右一対の前部支柱と、これら前部支柱にそれぞれ対向する左右一対の後部支柱と、左側前部及び後部支柱間に架設した固定ブレスと、同じく右側前部及び後部支柱間に架設した固定ブレスと、左右一対の前部支柱間と左右一対の後部支柱間にそれぞれ架設されて中央の交差部で枢支されたＸ字状にクロスする前後一対のブレスと、各前部支柱と後部支柱に四隅を枢支させた床板と、左右の前部支柱間と左右の後部支柱間にそれぞれ両端が枢支された横杆とを備え、上記ブレスと、床板と、横杆とを上下二段に対向してそれぞれ二組設け、更に上記上段のブレスのうち一方のブレスの一端を支柱に対して枢支させると共に当該一方のブレスの他端と他方のブレスの両端を支柱に対して着脱自在に枢支させ、同じく下段のブレスのうち一方のブレスの一端を支柱に対して枢支させると共に当該一方のブレスの他端と他方のブレスの両端を着脱自在に支柱に対して枢支させ、折畳み時に右側の前部支柱と後部支柱を横に倒した状態で地上寝かせ、着脱自在に枢支した上記各ブレスの端部を支柱から外し、各床板を回転させるようにしたので、縦方向、左右方向のみならず前後方向からの荷重に対しても耐久性があり、かつ、余分な作業をすることなく極めて簡単に折り畳みできるほか、クレーンを用いたワイヤによる吊り上げ吊り下しという簡単な作業で迅速かつ確実に折り畳みおよび組み立てを実施できるという効果が得られる。
【００４０】
また、請求項２の発明によれば、前部支柱および上記後部支柱に折り畳み時の上記ブレスを収納するブレス収納凹部材を設けるように構成したので、折り畳み時のブレスの占有空間を最小限に抑えることができ、支保工全体の折り畳み容積を極力小さくすることができるという効果が得られる。
【図面の簡単な説明】
【図１】この発明の実施の一形態による支保工を示す斜視図である。
【図２】図１における支保工を地上に寝かせた状態の概念図である。
【図３】図１に示す支保工の折り畳み状態を示す斜視図である。
【図４】図１におけるブレスの収納状況を示す要部の拡大斜視図である。
【図５】図４におけるブレスの収納完了状況を拡大して示す断面図である。
【図６】図１におけるブレス取付部を拡大して示す断面図である。
【図７】この発明の支保工の積み重ね状態を示す説明図である。
【図８】従来の支保工を示す概念図である。
【符号の説明】
１，２  前部支柱
３，４  後部支柱
２３，２４，２６，２７  ブレス
２９，３０  横杆
４９，５０  床板
５１，５２  ブレス収納凹部材
５３，５４，５５，５６，５７，５８  吊り金具
６４，６５  固定ブレス
【図１】
0003700949.tif 000002
【図２】
0003700949.tif 000003
【図３】
0003700949.tif 000004
【図４】
0003700949.tif 000005
【図５】
0003700949.tif 000006
【図６】
0003700949.tif 000007
【図７】
0003700949.tif 000008
【図８】
0003700949.tif 000009